(57)【要約】  セルプランニングツールは、例えば、アンテナセクション（１４）の高さまたは出力電力など、セルサイト配置に関する格納されたパラメータの正しさを判断することが可能である。パラメータの正しさは、上記格納されたパラメータを用いて、上記セルサイトのカバーエリア（２２）内に位置する測定点（２８）から得られた多数のｉｎ−ｓｉｔｕ信号強度測定値の取り込みと、上記測定点それぞれでの信号強度の予測とにより判断される。その後、取り込まれた信号強度と対応する予測された信号強度との間の差が各測定点について計算され、上記計算された信号強度差に基づいて格納されたパラメータの正しさを示す値が見積もられる。【選択図】図２
2010514333.tif 000002
【特許請求の範囲】
【請求項１】
セルサイト配置に関連付けられた格納されたパラメータの正しさを判断するセルプランニングツールでの方法であって、
前記セルサイトのカバーエリア（２２）内に位置する測定点（２８）でのｉｎ−ｓｉｔｕ信号強度測定値ＳＳｍｅａｓｕｒｅを取り込むステップ（３００）と、
前記セルサイト配置に関連付けられた前記格納されたパラメータを用いて、前記測定点それぞれで、信号強度ＳＳｐｒｅｄｉｃｔを予測するステップ（３０５）と、
各測定点について、取り込まれた前記ｉｎ−ｓｉｔｕ信号強度測定値と対応する予測された信号強度との間の信号強度差を計算するステップ（３１０）と、
前記計算された信号強度差に基づいて、前記格納されたパラメータの正しさを示す値を見積もるステップ（３１５‐３３５）と、
を含むことを特徴とする、方法。
【請求項２】
前記格納されたパラメータの正しさを示す値を見積もるステップは、
前記カバーエリアを選択された個数のセグメントに分割するステップ（３１５）と、
各セグメントについて別個に、前記セグメントの計算された前記信号強度差の平均に対応する第１の平均値Δａｖｅｒを計算するステップ（３２０）と、
各セグメントについて別個に、前記セグメントの計算された前記信号強度差の標準偏差に対応する第１の標準偏差値σ１を計算するステップ（３２５）と、
計算された前記第１の標準偏差値の平均に対応する第２の平均値σ１ａｖｅｒを計算するステップ（３３０）と、
計算された前記第１の標準偏差値の標準偏差に対応する第２の標準偏差値σ２を計算するステップ（３３５）と、
を含む、請求項１に記載の方法。
【請求項３】
前記正しさを示す見積もられた値は、前記第２の標準偏差値σ２に対応する正しさを示す値である、請求項２に記載の方法。
【請求項４】
前記計算された第２の平均値σ１ａｖｅｒは、出力信号電力の正しさを示す値である、請求項２または３に記載の方法。
【請求項５】
前記見積もられた値は、セグメントの個数が１つのみである場合、前記第１の標準偏差値σ１に対応する、請求項２〜４の何れかに記載の方法。
【請求項６】
前記セグメント（２６）は、類似した大きさを有する、請求項２〜５の何れかに記載の方法。
【請求項７】
ｉｎ−ｓｉｔｕ信号強度測定値の最大値は、前記計算から除外される、前述の請求項の何れかに記載の方法。
【請求項８】
前記セグメントは、前記カバーエリアの一部分のみをカバーしており、
前記部分は、角度方向で前記カバーエリアの略９０°に対応する、請求項２〜７の何れかに記載の方法。
【請求項９】
前記セグメントの個数は、初期設定値を有する、請求項２〜８の何れかに記載の方法。
【請求項１０】
前記セグメントの初期設定値は、９である、請求項９に記載の方法。
【請求項１１】
前記セグメントの個数は、オペレータによって設定可能である、請求項２〜１０の何れかに記載の方法。
【請求項１２】
前記セグメントの個数は、取り込まれたｉｎ−ｓｉｔｕ信号強度測定値の個数に応じて、自動的に計算される、請求項２〜８の何れかに記載の方法。
【請求項１３】
前記格納されたパラメータの一つは、前記セルサイトの各アンテナセクション（１４ａ，１４ｂ，１４ｃ）の出力信号電力を含む、前述の請求項の何れかに記載の方法。
【請求項１４】
前記格納されたパラメータの一つは、前記セルサイトの各アンテナセクション（１４ａ，１４ｂ，１４ｃ）の高さを含む、前述の請求項の何れかに記載の方法。
【請求項１５】
前記格納されたパラメータの一つは、前記セルサイトの各アンテナセクション（１４ａ，１４ｂ，１４ｃ）の角度指向性を含む、前述の請求項の何れかに記載の方法。
【請求項１６】
ネットワーク配置のためのセルプランニングツール（４０）であって、
前記セルプランニングツールは、セルサイト配置に関連付けられた格納されたパラメータの正しさを判断するための装置（４２）として提供され、
前記装置は、
前記セルサイトのカバーエリア（２２）内に位置する測定点（２８）から得られたｉｎ−ｓｉｔｕ信号強度測定値ＳＳｍｅａｓｕｒｅを取り込むことに適合した受信ユニット（４４）と、
ａ．前記セルサイト配置に関連付けられた前記格納されたパラメータを用いて、前記測定点それぞれで、信号強度ＳＳｐｒｅｄｉｃｔを予測すること
ｂ．各測定点について、取り込まれたｉｎ−ｓｉｔｕ信号強度測定値と、対応する予測された信号強度との間の信号強度差を計算すること
ｃ．計算された前記信号強度差に基づいて、前記格納されたパラメータの正しさを示す値を見積もること
に適合した処理ユニット（４６）と、
を備えることを特徴とする、セルプランニングツール。
【請求項１７】
前記処理ユニット（４６）は、更に、
−前記カバーエリアを選択された個数のセグメント（２６）に分割すること、
−各セグメントについて別個に、計算された前記セグメントの前記信号強度差に対応する第１の平均値Δａｖｅｒを計算すること、
−各セグメントについて別個に、計算された前記セグメントの前記信号強度差の標準偏差に対応する第１の標準偏差値σ１を計算すること、
−計算された前記第１の標準偏差値の平均に対応する第２の平均値σ１ａｖｅｒを計算すること、
−計算された前記第１の標準偏差値の標準偏差に対応する第２の標準偏差値σ２を計算すること、
に適合している、請求項１６に記載のセルプランニングツール。
【請求項１８】
前記格納されたパラメータの正しさを示す前記見積もられた値は、前記第２の標準偏差値σ２に対応する、請求項１７に記載のセルプランニングツール。
【請求項１９】
前記第２の平均値σ１ａｖｅｒは、出力信号電力の正しさを示す値である、請求項１７または１８に記載のセルプランニングツール。
【請求項２０】
セグメントの個数が１つのみである場合、前記格納されたパラメータの正しさを示す前記見積もられた補正値は、前記第１の標準偏差値σ１に対応する、請求項１７〜１９の何れかに記載のセルプランニングツール。
【請求項２１】
前記セグメント（２６）は、類似した大きさを有する、請求項１７〜２０の何れかに記載のセルプランニングツール。
【請求項２２】
前記セグメントは、前記カバーエリアの一部分をカバーしており、
前記部分は、角度方向で前記カバーエリアの略９０°に対応する、請求項１７〜２１の何れかに記載のセルプランニングツール。
【請求項２３】
前記セグメントの個数は、初期設定値を有する、請求項１７〜２２の何れかに記載のセルプランニングツール。
【請求項２４】
前記セグメントの初期設定値は、９である、請求項２３に記載のセルプランニングツール。
【請求項２５】
前記セグメントの個数は、オペレータによって設定可能である、請求項１７〜２４の何れかに記載のセルプランニングツール。
【請求項２６】
前記処理ユニット（４６）は、更に、取り込まれたｉｎ−ｓｉｔｕ信号強度測定値の個数に応じて、セグメントの数を計算することに適合している、請求項１７〜２５の何れかに記載のセルプランニングツール。
【請求項２７】
前記格納されたパラメータは、前記セルサイトの前記アンテナセクションそれぞれの出力信号電力を含む、請求項１７〜２６の何れかに記載のセルプランニングツール。
【請求項２８】
前記格納されたパラメータの一つは、前記セルサイトの前記アンテナセクションそれぞれの高さを含む、請求項１７〜２７の何れかに記載のセルプランニングツール。
【請求項２９】
前記格納されたパラメータの一つは、前記セルサイトの前記アンテナセクションそれぞれの角度指向性を含む、請求項１７〜２８の何れかに記載のセルプランニングツール。
【発明の詳細な説明】
【技術分野】
【０００１】
本発明は、セルサイト（ｃｅｌｌ  ｓｉｔｅ）に関連付けられる格納されたパラメータの正しさ（ｃｏｒｒｅｃｔｎｅｓｓ）を判断することが可能な、セルプランニングツール（ｃｅｌｌ  ｐｌａｎｎｉｎｇ  ｔｏｏｌ）での方法と、セルプランニングツールに関する。
【背景技術】
【０００２】
例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）や、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等に基づく移動通信ネットワークのオペレータ（ｏｐｅｒａｔｏｒ）は、通常、ネットワークのデザイン、プランニング、最適化に関して、セルプランニングツールの補助を受けている。セルラ移動通信ネットワークは、多数のセルサイトを含み、各セルサイトは、所望のセル範囲を提供するために設定されたアンテナ配置から構成される。図１ａは、セルサイトの典型的な従来のアンテナ１２を図示した斜視図であり、図１ｂは、上記アンテナ１２の上面図であって、３つのセルをカバーする３つのアンテナセクタ１４ａ，１４ｂ，１４ｃが概略的に図示されている。ここで、セクタは、異なる送信周波数を有していてもよい。アンテナは、例えば、高さ、送信信号の出力、アンテナの種類と方向といったパラメータによって示される所定の配置で、セルサイト上に設けられ、ネットワーク配置を表すパラメータは、好ましくは、オペレータのセルプランニングツール内に格納される。
【０００３】
従来のセルプランニングツールには、通常、上述の格納されたパラメータをネットワーク性能を算出するために用いるいくつかのアルゴリズムが提供され、アルゴリズムは、例えば、トラフィック割り当てアルゴリズムやモンテカルロシミュレータを含んでも良い。セルプランニングツールは、マップデータを、フィーダ（ｆｅｅｄｅｒ）やコンバイナ（ｃｏｍｂｉｎｅｒ）のような基地局ハードウェアや他の補助ハードウェア等に関する様々なネットワーク配置データと共に、アルゴリズムの入力として用いる。セルプランニングツールからの出力は、例えば、セルサイトがカバーしているエリアの評価およびカバーしているエリア内の異なる位置での予測した信号強度等のネットワーク特性情報を含み、オペレータは、インディケータ（ｉｎｄｉｃａｔｏｒ）が目標とするあるネットワークキー特性を達成するためのネットワークの設計および最適化を行うために、この情報をセルプランニングに利用してもよい。
【０００４】
言及するまでもなく、例えばアンテナの高さおよび角度指向性（ａｎｇｕｌａｒ  ｏｒｉｅｎｔａｔｉｏｎ）といったアンテナの配置に関するセルプランニングツールに格納されたパラメータは、常に実際のアンテナの高さや角度指向性からある程度は逸脱するものであるが、このズレは、好ましくは、無視しうる。セルプランニングツール内に格納されたネットワーク配置パラメータの実際に配置されたネットワークの配置パラメータからのズレが無視できる場合には、セルプランニングツールから出力された結果に含まれる誤差は、小さなものとなりうる。しかしながら、例えばアンテナ要素に意図された高さや意図された角度指向性がマウントされていない場合などには、大きな誤差が生じる場合も起こりうる。
【０００５】
従って、大きな誤差によって生じるネットワーク特性への有害な影響を避けるためには、例えば、アンテナセクションの実装が、アンテナの高さおよび角度指向性に関する格納されたパラメータに対応しているかを確認するといった、セルサイトおよびアンテナの手動の（ｍａｎｕａｌ）監督（ｉｎｓｐｅｃｔｉｏｎ）および監査（ａｕｄｉｔ）が、定期的に実施される必要があるが、このような手動の監査は、非常にコストがかかる。
【０００６】
そのため、セルプランニングツール内のセルサイトの配置に関連付けられる格納されたパラメータを実際に配置されたセルサイト配置と費用効果が高い方法で対応付け、セルサイトの手動監査（ｍａｎｕａｌ  ａｕｄｉｔ）をしないようにするという問題は、未だに存在する。
【発明の概要】
【０００７】
本発明の目的は、先に概説した問題を処理することであり、この目的および他の目的は、添付の請求項によるセルプランニングツールでの方法およびセルプランニングツールによって達成される。
【０００８】
第１の観点によれば、この発明は、セルサイト配置（ｃｅｌｌ  ｓｉｔｅ  ｃｏｎｆｉｇｕｒａｔｉｏｎ）に関する格納されたパラメータの正しさを判断するセルプランニングツールでの方法を提供する。この方法は、以下のステップを含む。
上記セルサイトがカバーエリア（ｃｏｖｅｒａｇｅ  ａｒｅａ）内に位置する測定点から、ｉｎ−ｓｉｔｕ信号強度の測定値ＳＳｍｅａｓｕｒｅを取り込むステップ；
セルサイト配置に関する上記格納されたパラメータを用いて、上記測定点それぞれで信号強度ＳＳｐｒｅｄｉｃｔを予測するステップ；
それぞれの測定点において、取り込んだｉｎ−ｓｉｔｕ信号強度の測定値と対応する予測した信号強度との間の信号強度の差を計算するステップ；
計算した信号強度の差に基づいて、格納されたパラメータの正しさを示す値の見積もりを行うステップ。
【０００９】
それによって、オペレータは、手動のネットワーク配置の監査を実施することなくセルプランニングツール内に格納されたパラメータの正しさを判断することが可能となるため、セルサイトの手動によるネットワーク配置の監査の数を、かなり削減することが可能となる。この正しさの判断により、格納されたパラメータの実際のパラメータからのズレが無視できない程度であることが明らかになった場合にのみ、手動によるネットワーク配置の監査を実施しなくてはならないかもしれない。
【００１０】
上述の格納されたパラメータの正しさを示す値の見積もりを行うステップは、以下のサブステップを含んでいてもよい。
カバーエリアを選択された数のセグメントに分割するステップ；
それぞれのセグメントについて別個に、セグメントの計算された信号強度差の平均に対応する第１の平均値Δａｖｅｒを計算するステップ；
それぞれのセグメントについて別個に、上記セグメントの計算された信号強度差の標準偏差に対応する第１の標準偏差値σ１を計算するステップ；
上記計算された第１の標準偏差値の平均に対応する第２の平均値σ１ａｖｅｒを計算するステップ；および
上記計算された第１の標準偏差値の標準偏差に対応する第２の標準偏差値σ２を計算するステップ。
【００１１】
第２の観点によれば、この発明は、ネットワーク配置のためのセルプランニングツールに関し、セルサイト配置に関連付けられた格納されたパラメータの正しさを判断する装置として提供される。
この装置は、上記セルサイトのカバーエリア内に位置する測定点から、ｉｎ−ｓｉｔｕ信号強度の測定値ＳＳｍｅａｓｕｒｅを取り込むことに適合した受信ユニットと、
セルサイト配置に関する上記格納されたパラメータを用いた、上記測定点それぞれでの信号強度ＳＳｐｒｅｄｉｃｔの予測；
それぞれの測定点における、取り込んだｉｎ−ｓｉｔｕ信号強度の測定値と対応する予測した信号強度との間の信号強度の差の計算；
計算した信号強度の差に基づく、格納されたパラメータの正しさを示す値の見積もり；
に適合した処理ユニットと、を含む。
【００１２】
処理ユニットは、更に、
カバーエリアの選択された数のセグメントへの分割；
それぞれのセグメントについて別個に、セグメントの計算された信号強度差の平均に対応する第１の平均値Δａｖｅｒを計算すること；
それぞれのセグメントについて別個に、上記セグメントの計算された信号強度差の標準偏差に対応する第１の標準偏差値σ１を計算すること；
上記計算された第１の標準偏差値の平均に対応する第２の平均値σ１ａｖｅｒを計算すること；
上記計算された第１の標準偏差値の標準偏差に対応する第２の標準偏差値σ２の計算；
に適合していてもよい。
【００１３】
正しさを示す見積もられた値は、上記第２の標準偏差σ２と対応していてもよく、計算された第２の平均値σ１ａｖｅｒは、出力信号電力（ｏｕｔｐｕｔ  ｓｉｇｎａｌ  ｐｏｗｅｒ）の正しさを示すものであってもよい。正しさを示す見積もられた値は、セグメントの数が１つのみである場合には、上記第１の標準偏差値σ１に対応していてもよい。
【００１４】
セグメントは、同様の大きさを有していてもよく、最大のｉｎ−ｓｉｔｕ信号強度の測定値は、計算において除外されてもよい。更に、上記セグメントは、上記カバーエリアの一部のみをカバーしていてもよく、角度方向（ａｎｇｕｌａｒ  ｄｉｒｅｃｔｉｏｎ）でカバーエリアの概ね９０°に対応していてもよい。
【００１５】
セグメントの数は、例えば９などの初期設定値（ｄｅｆａｕｌｔ  ｖａｌｕｅ）であってもよく、セグメントの数は、オペレータによって設定可能であってもよい。また、セグメントの数は、取り込まれたｉｎ−ｓｉｔｕ信号強度の測定値の個数に依存してセルプランニングツールによって自動的に計算されたものであってもよい。
【００１６】
格納されたパラメータは、例えば、出力信号電力、ならびに、セルサイトのそれぞれのアンテナセクションの高さおよび角度指向性を含んでもよい。
【００１７】
ここで、添付図面を参照しながら、本発明を詳細に説明することにする。
【図面の簡単な説明】
【００１８】
【図１Ａ】セルサイトの典型的なアンテナ配置について示した斜視図である。
【図１Ｂ】上記アンテナの上面図であり、アンテナの３つのセクタを示している。
【図２】本発明の第１の実施形態に関し、９つのセグメントに分割されたカバーエリアの一部を示した上面図である。
【図３】本発明に係る方法の好適な実施形態の流れ図である。
【図４】本発明に関し、装置として提供されるセルプランニングツールを示したブロック図である。
【発明を実施するための形態】
【００１９】
以下の記載では、本発明を通して理解するために、特定の構成およびステップのつながりのような明確な細部が明記される。しかしながら、当業者にとって、これらの詳細な細部から外れているかもしれない他の実施形態においても本発明が実施されうることは明らかである。
【００２０】
更に、記述される機能は、プログラムされたマイクロプロセッサまたは汎用コンピュータと連携して機能を果たすソフトウェア、及び／又は、アプリケーションに特化した集積回路により実行されてもよい。本発明が方法の形式で記載される場合には、本発明は、コンピュータプロセッサおよびメモリからなり、当該メモリは記載された機能を実行しうる１または複数のプログラムが符号化されたシステムのみならず、コンピュータプログラム製品で具体化されてもよい。
【００２１】
ネットワークオペレータは、例えば、アンテナが装着された乗り物を利用してセルサイトのカバーエリア内を移動し、異なる位置での信号強度を測定するなどして測定データを集めることで、セルサイトに関する手動測定を定期的に実行し、集めた信号強度の値を、測定点の位置とあわせて格納する。本発明は、オペレータによって収集されたセルサイトのカバーエリア内の異なる点における信号強度に関する測定値を取り込むこと、および、これらの測定値を上記位置における予測された信号強度値と比較することが可能な付加された機能性によって、セルプランニングツール内に格納されたパラメータの正しさを判断する。ここで、予測は、上記の格納されたパラメータに基づき、セルプランニングツールによって実行される。
【００２２】
本発明によれば、セルプランニングツール内に格納されたセルサイト配置に関するパラメータの正しさを示す値は、セルサイトのカバーエリア内における適切な数の測定点でのｉｎ−ｓｉｔｕ測定信号強度と予測された信号強度との間の計算された差分に基づいて見積もられる。この見積もりは、適切な統計学上の手順、例えば、測定点での測定信号強度と予測された信号強度との間の計算された差分の平均値を単に判断すること、または、カバーエリアを適切な数のセグメントに分割することを含むようなより複雑な数学的方法、によって行われる。
【００２３】
それに応じて、この正しさを示す見積もられた値は、例えば、ズレ（ｄｅｖｉａｔｉｏｎ）が許容されるか否かを判断するために予め決定された閾値と比較されてもよい。もしそうでなければ、オペレータは、セルプランニングツール内に格納されるより正確なパラメータを獲得するために、例えば、アンテナ送信出力電力を調節したり、セルサイトの手動による監査を実行したりといった選択がある。セルプランニングツール内に格納されたセルサイト配置のパラメータは、セルサイトの各アンテナセクションの出力信号電力、セルサイトの各アンテナセクションの高さ、または、セルサイトの各アンテナセクションの角度指向性を含んでいてもよい。
【００２４】
本発明は、図２を参照しながら説明されるであろう。図２は、セルサイトのアンテナセグメント１４と、９つのセグメント２６に分割されたカバーエリア２２の一部とが概略的に図示された上面図である。実際の信号強度および位置に関する測定される値は、測定機器を備え軌道（ｐａｔｈ）２４を移動する人物または乗り物を用い、オペレータによって適切な個数の測定点２８で収集される。本発明によれば、セルプランニングツールは、収集された信号強度の測定値だけでなく対応する位置を取り込み、特定のセルサイトに関連付けられた測定値を決定するために、各測定値についてサービングセル（ｓｅｒｖｉｎｇ  ｃｅｌｌ）を確認する。次に、セルプランニングツールは、測定点での信号強度の値を予測し、各測定点について、取り込んだ値と上記予測値との間の差、ＳＳｍｅａｓ−ＳＳｐｒｅｄ＝Δ、を計算する。その後、上記の計算した信号強度の差に基づいて、格納されたパラメータの正しさの見積もりが実行される。
【００２５】
本発明の第１の実施形態によれば、カバーエリアは、例えばあるセルサイトに関連付けられた取り込まれたｉｎ−ｓｉｔｕ測定値の数に応じて、適切な個数のセグメント２６（通常少なくとも４つであり２０未満である）に分割される。セグメントの個数の初期設定値は、十分な正確さを達成するために、好ましくは、セルプランニングツール内に格納されており、この初期設定値は、例えば９前後であってもよい。
【００２６】
更なる具体的な実施形態によれば、セグメントの個数は、オペレータによって設定可能であってもよく、例えば取り込まれた信号強度測定値の個数に応じて、セルプランニングツールにより計算された値であってもよい。更に、図示した実施形態では、サービングアンテナ（ｓｅｒｖｉｎｇ  ａｎｔｅｎｎａ）から±４５°以内のエリアに対応する、カバーエリアの一部のみが用いられている。しかしながら、カバーエリアの他の適切な部分のいずれが用いられてもよく、カバーエリアの全体が用いられてもよい。また、カバーエリアは、例えば、取り込まれた測定値の個数や要求される計算の正確さまたはスピードに応じて、いかなる適切な個数のセグメントに分割されてもよく、１つのみのセグメントに分割されてもよい。
【００２７】
この第１の実施形態によれば、第１の平均値Δａｖｅｒは、セグメントの測定点の平均信号強度差を表したものであり、それぞれ個別のセグメントについて計算されるが、例えば、最大値（ｅｘｔｒｅｍｅ  ｖａｌｕｅ）など、いくつかの値が除外されてもよい。その後、セグメントの信号強度差の標準偏差を表す第１の標準偏差値σ１が、それぞれのセグメントについて計算される。次に、上記の計算された第１の標準偏差値の平均を表す第２の平均値σ１ａｖｅｒが計算される。この第２の平均値に基づいて、上記の計算された第１の標準偏差値の標準偏差を表す第２の標準偏差値σ２が計算される。しかしながら、非常に少ない測定点を含むセグメントは、この計算から除外されてもよい。
【００２８】
上記の第２の標準偏差値σ２は、特に、格納されたセルサイト配置のパラメータの正確さを示すものであり、大きな標準偏差値は、より大きなズレを示し、より小さな標準偏差値は、より小さなズレを示し、より正確な格納されたパラメータであることを示す。
【００２９】
第２の平均値σ１ａｖｅｒは、格納された出力信号電力パラメータ（ｓｔｏｒｅｄ  ｏｕｔｐｕｔ  ｓｉｇｎａｌ  ｐｏｗｅｒ−ｐａｒａｍｅｔｅｒ）を示し、大きな第２の平均値は、格納された出力信号電力により大きなズレがあることを示す。
【００３０】
更なる実施形態によれば、上記の第１の標準偏差値σ１は、信号強度差の標準偏差を表したものであり、カバーエリアがただ１つのセグメントに分割されている場合には、格納されたパラメータの正しさを示すものとなる。また、上記の第１の計算された平均値Δａｖｅｒは、格納されたパラメータの正しさを示すものとして利用可能であるが、標準偏差値σ１が、通常、より良い見積もりを与えるものである。
【００３１】
適切なセグメントの個数は、測定点の個数に依存しており、より少ないセグメントは、より速い計算で終了する。一方、より大きな個数のセグメントは、正確さが向上する。
【００３２】
図３は、本発明の模範的な実施形態を示した流れ図である。ここで、多数の信号強度測定値が取り込まれ、カバーエリアは選択された個数のセグメントに分割されているものとする。ステップ３００では、上記のセルサイトのカバーエリア内に位置する測定点から得られた、収集および格納されたｉｎ−ｓｉｔｕ信号強度測定値ＳＳｍｅａｓｕｒｅが、各測定点の位置とともに取り込まれる。その後、ステップ３０５では、上記の測定点それぞれについて、セルサイト配置に関連付けられた上記格納されたパラメータを用いて、予測された信号強度ＳＳｐｒｅｄｉｃｔが計算される。ステップ３１０では、各測定点について、取り込まれたｉｎ−ｓｉｔｕ信号強度測定値と、対応する予測された信号強度との間の信号強度差（ｓｉｇｎａｌ  ｓｔｒｅｎｇｔｈ−ｄｉｆｆｅｒｅｎｃｅ）が計算され、ステップ３１５では、カバーエリアが、ほぼ同様の大きさを有する選択された個数のセグメントに分割される。ここで、各セグメントは、適切な個数の測定点を含んでいる。ステップ３２０では、各セグメントについて別個に、セグメントの計算された信号強度差の平均に対応する第１の平均値Δａｖｅｒが計算され、ステップ３２５では、各セグメントについて別個に、セグメントの信号強度差の標準偏差に対応する第１の標準偏差値σ１が計算される。次に、ステップ３３０では、全てのセグメントの標準偏差の平均値に対応する第２の平均値σ１ａｖｅｒが計算され、ステップ３３５では、第１の標準偏差値の標準偏差に対応する第２の標準偏差値が計算される。この計算された第２の標準偏差値σ２は、格納されたパラメータの正しさを示すものであり、大きな標準偏差値は、大きなズレ、すなわち、格納されたネットワーク配置パラメータについて大きな誤差が生じていることを示し、計算された第２の平均値σ１ａｖｅｒは、出力信号電力の正しさを示すものである。
【００３３】
図４は、本発明の模範的な実施形態に係るセルプランニングツールを図示したブロック図であり、セルプランニングツール４０は、セルサイト配置に関する格納されたパラメータの正しさを判断する装置（ａｒｒａｎｇｅｍｅｎｔ）４２として提供される。この装置は、上述のセルサイトのカバーエリア内に位置する多数の測定点から得られたｉｎ−ｓｉｔｕ信号強度測定値ＳＳｍｅａｓｕｒｅと対応する位置とを取り込むことに適合した受信ユニット（ｒｅｃｅｉｖｉｎｇ  ｕｎｉｔ）４４と、セルサイト配置に関連付けられた格納されたパラメータを利用して、上記測定点それぞれの信号強度ＳＳｐｒｅｄｉｃｔを予測することに適合した処理ユニット（ｐｒｏｃｅｓｓｉｎｇ  ｕｎｉｔ）４６と、を含む。
【００３４】
第１の実施形態によれば、処理ユニット４６は、カバーエリアを多数のセグメントに分割することに適合しており、各セグメントは、適切な個数の測定点を含む。処理ユニットは、更に、各セグメントについて別個に、セグメントの測定点での信号強度差の平均を表す第１の平均値Δａｖｅｒを計算することに適合している。次に、セグメントの信号強度差の標準偏差を表す第１の標準偏差値σ１が、各セグメントについて別個に計算され、その後、上記第１の標準偏差値の平均を表す第２の平均値σ１ａｖｅｒが計算される。最後に、上記計算された第１の標準偏差値の標準偏差を表す第２の標準偏差値σ２が計算される。本発明の第１の実施形態によれば、処理ユニットは、この第２の標準偏差値σ２を、セルプランニングツール内に格納されたパラメータの正しさを示唆するものとして利用することに適合している。
【００３５】
他の実施形態によれば、処理ユニット４６は、上記計算された第２の平均値σ１ａｖｅｒを、格納された出力電力パラメータ（ｏｕｔｐｕｔ  ｐｏｗｅｒ−ｐａｒａｍｅｔｅｒ）の正しさを示唆するものとして利用することに適合している。
【００３６】
第２の実施形態によれば、処理ユニット４６は、カバーエリアが１つのみのセグメントに分割されている場合における上記計算された信号強度差の第１の標準偏差値σ１、または、上記計算された各測定点の信号強度差の第１の平均値Δａｖｅｒを、格納されたパラメータの正しさを示唆するものとして利用することに適合している。
【００３７】
セルプランニングツールの別の実施形態によれば、セグメントの個数に関する初期設定値が格納されており、十分な正確さを達成するために、セグメントの個数に関する適切な初期設定値は、例えば、９前後であってもよい。更なる模範的な実施形態によれば、セグメントの個数は、オペレータによって設定可能である。別の実施形態によれば、処理ユニットは、例えば、あるセルサイトに関連付けられた取り込まれた測定値の個数に応じて、カバーエリアを、適切な個数のセグメント、通常少なくとも４以上であり２０未満、に分割することに適合している。
【００３８】
更に、模範的な実施形態によれば、処理ユニットは、サービングアンテナから±４５°以内の範囲に対応する、カバーエリアの一部のみを利用することに適合している。しかしながら、カバーエリアの他の適切な部分の何れかが利用されてもよく、カバーエリア全体が利用されてもよく、カバーエリアが他の適切な個数のセグメントに分割されてもよく、例えば取り込まれた測定値の個数に応じて一つのみのセグメントに分割されてもよい。
【００３９】
本発明は、例えば、実在するセルプランニングツール加えられた、手動でのネットワーク配置の監査を行うことなくオペレータが格納されたパラメータの正しさを判断することが可能となる機能として実施されてもよい。この発明によれば、正しさの判断結果により、格納されたパラメータの実際のパラメータからのズレが無視できない程度であることが明らかとなった場合にのみ、手動によるネットワーク配置の監査が実施される必要があるかもしれない。それによって、手動によるネットワーク配置の監査の必要性が、かなり削減されるであろう。
【００４０】
本発明は、特定の模範的な実施形態を参照することで説明されたが、この説明は、全体として本発明の概念を例証したものであり、この説明は、本発明の範囲を限定するものとしてみなされるべきではない。
【図１ａ】
2010514333.tif 000003
【図１ｂ】
2010514333.tif 000004
【図２】
2010514333.tif 000005
【図３】
2010514333.tif 000006
【図４】
2010514333.tif 000007
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
セルサイトの配置に関連付けられた格納されたパラメータの正しさを判断するセルプランニングツールでの方法であって、
上記セルサイトのカバーエリア（２２）内に位置する適切な個数の測定点（２８）から通常の手動での測定の間中収集されるｉｎ−ｓｉｔｕ信号強度測定値ＳＳｍｅａｓｕｒｅと対応する位置とを取り込む（３００）ステップと、
前記セルサイト配置に関連付けられた前記格納されたパラメータを用いて、前記測定点のそれぞれで、前記信号強度ＳＳｐｒｅｄｉｃｔを予測する（３０５）ステップと、
各測定点について、取り込まれた前記ｉｎ−ｓｉｔｕ信号強度測定値と対応する前記予測された信号強度との間の信号強度差を計算する（３１０）ステップと、
計算された前記信号強度差に基づいて、前記格納されたパラメータの正しさを示す値を見積もる（３１５−３３５）ステップと、
を含むことを特徴とする、方法。
【請求項２】
前記格納されたパラメータの正しさを示す値を見積もるステップは、
前記カバーエリアを、選択された個数のセグメントに分割する（３１５）ステップと、
各セグメントについて別個に、前記セグメントの計算された前記信号強度差の平均に対応する第１の平均値Δａｖｅｒを計算する（３２０）ステップと、
各セグメントについて別個に、前記セグメントの計算された前記信号強度差の標準偏差に対応する第１の標準偏差値σ１を計算する（３２５）ステップと、
計算された前記第１の標準偏差値の平均に対応する第２の平均値σ１ａｖｅｒを計算する（３３０）ステップと、
計算された前記第１の標準偏差値の標準偏差に対応する第２の標準偏差値σ２を計算する（３３５）ステップと、
を含む、請求項１に記載の方法。
【請求項３】
前記正しさを示す見積もられた値は、前記第２の標準偏差値σ２に対応する、請求項２に記載の方法。
【請求項４】
計算された前記第２の平均値σ１ａｖｅｒは、出力信号電力の正しさを示す値である、請求項２または３に記載の方法。
【請求項５】
前記正しさを示す見積もられた値は、セグメントの個数が１つのみである場合、前記第１の標準偏差値σ１に対応する、請求項２〜４の何れかに記載の方法。
【請求項６】
前記セグメント（２６）は、類似した大きさを有する、請求項２〜５の何れかに記載の方法。
【請求項７】
ｉｎ−ｓｉｔｕ信号強度測定値の最大値は、前記計算から除外される、前述の請求項の何れかに記載の方法。
【請求項８】
前記セグメントは、前記カバーエリアの一部分のみをカバーしており、
前記部分は、角度方向で前記カバーエリアの略９０°に対応する、請求項２〜７の何れかに記載の方法。
【請求項９】
前記セグメントの個数は、初期設定値を有する、請求項２〜８の何れかに記載の方法。
【請求項１０】
前記セグメントの個数の前記初期設定値は、９である、請求項９に記載の方法。
【請求項１１】
前記セグメントの個数は、オペレータによって設定可能である、請求項２〜１０の何れかに記載の方法。
【請求項１２】
前記セグメントの個数は、取り込まれたｉｎ−ｓｉｔｕ信号強度測定値の個数に応じて、自動的に計算される、請求項２〜８の何れかに記載の方法。
【請求項１３】
前記格納されたパラメータの一つは、前記セルサイトの各アンテナセクション（１４ａ，１４ｂ，１４ｃ）の出力信号電力を含む、前述の請求項の何れかに記載の方法。
【請求項１４】
前記格納されたパラメータの一つは、前記セルサイトの各アンテナセクション（１４ａ，１４ｂ，１４ｃ）の高さを含む、前述の請求項の何れかに記載の方法。
【請求項１５】
前記格納されたパラメータの一つは、前記セルサイトの各アンテナセクション（１４ａ，１４ｂ，１４ｃ）の角度指向性を含む、前述の請求項の何れかに記載の方法。
【請求項１６】
ネットワーク配置のためのセルプランニングツール（４０）であって、
前記セルプランニングツールは、セルサイト配置に関連付けられた格納されたパラメータの正しさを判断するための装置（４２）として提供され、
前記装置は、
前記セルサイトのカバーエリア（２２）内に位置する適切な個数の測定点（２８）から通常の手動での測定の間中収集されるｉｎ−ｓｉｔｕ信号強度測定値ＳＳｍｅａｓｕｒｅと対応する位置とを取り込むことに適合した受信ユニット（４４）と、
ａ．前記セルサイト配置に関連付けられた前記格納されたパラメータを用いて、前記測定点それぞれで、信号強度ＳＳｐｒｅｄｉｃｔを予測すること
ｂ．各測定点について、取り込まれたｉｎ−ｓｉｔｕ信号強度測定値と、対応する予測された信号強度との間の信号強度差を計算すること
ｃ．計算された前記信号強度差に基づいて、前記格納されたパラメータの正しさを示す値を見積もること
に適合した処理ユニット（４６）と、
を備えることを特徴とする、セルプランニングツール。
【請求項１７】
前記処理ユニット（４６）は、更に、
−前記カバーエリアを、選択された個数のセグメント（２６）に分割すること、
−各セグメントについて別個に、計算された前記セグメントの信号強度差の平均に対応する第１の平均値Δａｖｅｒを計算すること、
−各セグメントについて別個に、計算された前記セグメントの信号強度差の標準偏差に対応する第１の標準偏差値σ１を計算すること、
−計算された前記第１の標準偏差値の平均に対応する第２の平均値σ１ａｖｅｒを計算すること、
−計算された前記第１の標準偏差値の標準偏差に対応する第２の標準偏差値σ２を計算すること、
に適合している、請求項１６に記載のセルプランニングツール。
【請求項１８】
前記格納されたパラメータの正しさを示す見積もられた値は、前記第２の標準偏差値σ２に対応する、請求項１７に記載のセルプランニングツール。
【請求項１９】
前記第２の平均値σ１ａｖｅｒは、出力信号電力の正しさを示す値である、請求項１７または１８に記載のセルプランニングツール。
【請求項２０】
セグメントの個数が１つのみである場合、前記格納されたパラメータの正しさを示す前記見積もられた補正値は、前記第１の標準偏差値σ１に対応する、請求項１７〜１９の何れかに記載のセルプランニングツール。
【請求項２１】
前記セグメント（２６）は、同様の大きさを有する、請求項１７〜２０の何れかに記載のセルプランニングツール。
【請求項２２】
前記セグメントは、前記カバーエリアの一部分をカバーしており、
前記部分は、角度方向で前記カバーエリアの略９０°に対応する、請求項１７〜２１の何れかに記載のセルプランニングツール。
【請求項２３】
前記セグメントの個数は、初期設定値を有する、請求項１７〜２２の何れかに記載のセルプランニングツール。
【請求項２４】
前記セグメントの個数の初期設定値は、９である、請求項２３に記載のセルプランニングツール。
【請求項２５】
前記セグメントの個数は、オペレータによって設定可能である、請求項１７〜２４の何れかに記載のセルプランニングツール。
【請求項２６】
前記処理ユニット（４６）は、更に、取り込まれたｉｎ−ｓｉｔｕ信号強度測定値の個数に応じて、前記セグメントの個数を計算することに適合している、請求項１７〜２５の何れかに記載のセルプランニングツール。
【請求項２７】
前記格納されたパラメータの一つは、前記セルサイトの前記アンテナセクションそれぞれの出力信号電力を含む、請求項１７〜２６の何れかに記載のセルプランニングツール。
【請求項２８】
前記格納されたパラメータの一つは、前記セルサイトの前記アンテナセクションそれぞれの高さを含む、請求項１７〜２７の何れかに記載のセルプランニングツール。
【請求項２９】
前記格納されたパラメータの一つは、前記セルサイトの前記アンテナセクションそれぞれの角度指向性を含む、請求項１７〜２８の何れかに記載のセルプランニングツール。
【国際調査報告】
2010514333.tif 000008
2010514333.tif 000009
2010514333.tif 000010